(57)【要約】  本発明は、誘餌を受けるための手段又は罠（１）に既に取付けられている誘餌（４）を含む誘餌付き罠（１）に関する。この罠は、有害生物、特に小型げっ歯類が誘餌（４）へ接近することを可能にする少なくとも１つの開口部（２、３）を有する。本発明は、誘餌付き罠（１）が、格納位置（１２）から拡張位置（１３）へと伸縮自在に引き出すことができ、従って、誘餌付き罠（１）の体積を拡大する、少なくとも１つの区画（６）を有することを特徴とする。本発明はまた、誘餌を有効化するために、本罠の伸縮自在区画を格納位置から拡張位置に動かすことができる、誘餌付き罠のある使用にも関する。本発明はさらに、誘餌の包装としての誘餌付き罠の使用及び本誘餌付き罠を作製するための方法に関する。
2009540808.tif 000002
【特許請求の範囲】
【請求項１】
誘餌を提供するための手段を有し又は誘餌箱（１）中に誘餌（４）が収容されており、有害生物、特に小型げっ歯類が誘餌（４）に接近できるようにするための少なくとも１つのポート（２、３）を有する誘餌箱（１）であり、格納位置（１２）から拡張位置（１３）に伸縮自在に拡張可能であり、これにより誘餌箱（１）の体積が増加する少なくとも１つの区画（６）を有するように設計されていることを特徴とする、誘餌箱（１）。
【請求項２】
伸縮自在に拡張可能な区画（６）において、誘餌を収容するための手段又は誘餌（５）及び少なくとも１つのポート（２、３）が誘餌箱（１）の残りの区画内に配置され又はその逆であることを特徴とする、請求項１に記載の誘餌箱。
【請求項３】
誘餌箱（１）が、有害生物の接近のために提供される少なくとも１つのポート（２、３）を除き密閉されることを特徴とする、請求項１から請求項２の一項に記載の誘餌箱。
【請求項４】
誘餌（４）が誘餌箱とともに収容されることを特徴とする、請求項１から請求項３の一項に記載の誘餌箱。
【請求項５】
伸縮自在に拡張可能な区画（６）の格納位置（１２）において、誘餌又は誘餌を提供するための手段が、例えば伸縮自在に拡張可能な区画（６）の側壁によりさらに係合され、従って、少なくとも１つのポート（２、３）を介して接近可能ではないことを特徴とする、請求項１から請求項４の一項に記載の誘餌箱。
【請求項６】
伸縮自在に拡張可能な区画（６）が、開口した側面を除き、立方体様の形態であり、開口した側面が誘餌箱（１）の内側に向くように誘餌箱の側壁（１１）に伸縮自在に拡張可能に挿入されることを特徴とする、請求項１から請求項５の一項に記載の誘餌箱。
【請求項７】
伸縮自在に拡張可能な区画（６）の拡張位置（１３）に対して留め金（５）が提供されることを特徴とする、請求項１から請求項６の一項に記載の誘餌箱。
【請求項８】
誘餌箱（１）において、誘餌箱（１）を横切る視界が少なくとも伸縮自在に拡張可能な区画（６）の拡張位置（１３）において確保されるように配置される２個の相対するポート（２、３）が提供されることを特徴とする、請求項１から請求項７の一項に記載の誘餌箱。
【請求項９】
誘餌箱（１）が、印刷可能な領域及び／又は誘餌箱を吊設するための小穴（１０）とともに提供されることを特徴とする、請求項１から請求項８の一項に記載の誘餌箱。
【請求項１０】
誘餌箱（１）がプラスチック材料からなることを特徴とする、請求項１から請求項９の一項に記載の誘餌箱。
【請求項１１】
誘餌箱（１）が、例えばセルロース繊維などの生分解性材料からなることを特徴とする、請求項１から請求項１０の一項に記載の誘餌箱。
【請求項１２】
誘餌箱（１）において、例えば伸縮自在に拡張可能な区画（６）において、透明な区画が提供されることを特徴とする、請求項１から請求項１１の一項に記載の誘餌箱。
【請求項１３】
少なくとも１つのポート（２、３）の直径がおよそ６ｃｍであることを特徴とする、請求項１から請求項１２の一項に記載の誘餌箱。
【請求項１４】
拡張位置（１３）において伸縮自在に拡張可能な区画（６）を繋止するための手段（５、７）が提供されることを特徴とする、請求項１から請求項１３の一項に記載の誘餌箱。
【請求項１５】
誘餌箱が、一体プラスチック予備成形物により形成される基本構造を含み、基本構造が、非破壊性の所定の折り曲げ線（２５）を含み、プラスチック予備成形物の２つのエンドゾーンが好ましくは貼り付けられ又は互いに結合させられることを特徴とする、請求項１から請求項１４の一項に記載の誘餌箱。
【請求項１６】
伸縮自在に拡張可能な区画（６）が、その格納位置で、圧入によって及び／又はポジティブロックによって及び／又は接着剤によって取り外し可能に保持され、及び／又は、その拡張位置で、圧入によって及び／又はポジティブロックによって保持されることを特徴とする、請求項１から請求項１５の一項に記載の誘餌箱。
【請求項１７】
伸縮自在に拡張可能な区画が、互いに移動させられる２つの容器を含み、内部容器の底部が開口部を含み、空間（３０）が容器の２つの底部の間に存在し、空間に誘餌（４）が置かれ、誘餌（４）の直径が特にポートの直径よりも大きいことを特徴とする、請求項１から請求項１６の一項に記載の誘餌箱。
【請求項１８】
伸縮自在に拡張可能な区画（６）が、その格納位置で基本構造を越えて突出しないが、手で、特に陥凹したつかみ部を用いて把握することができるように設計されることを特徴とする、請求項１から請求項１７の一項に記載の誘餌箱。
【請求項１９】
伸縮自在に拡張可能な区画（６）が、その格納位置で固定され、回転運動により取り外し可能であることを特徴とする、請求項１から請求項１８の一項に記載の誘餌箱。
【請求項２０】
伸縮自在に拡張可能な区画（６）がその格納位置で回転可能であり、誘餌箱を適当な位置におくために伸縮自在な区画に提供される脚が、回転運動により位置決め可能であることを特徴とする、請求項１から請求項１９の一項に記載の誘餌箱。
【請求項２１】
伸縮自在に拡張可能な区画（６）が、その拡張の結果として、誘餌箱の他の部分に対して、その拡張位置へと下方に反転するようなものであることを特徴とする、請求項１から請求項２０の一項に記載の誘餌箱。
【請求項２２】
伸縮自在に拡張可能な区画（６）を拡張することによってシール（４８）の位置が変化し、伸縮自在に拡張可能な区画（６）をその後に押し戻すことによってシールの位置が再び変化しないように誘餌箱が設計されていることを特徴とする、請求項１から請求項２１の一項に記載の誘餌箱。
【請求項２３】
誘餌を有効化するために、誘餌箱（１）の伸縮自在に拡張可能な区画（６）が格納位置（１２）から拡張位置（１３）の状態にされる、請求項１から請求項２２の一項に記載の誘餌箱（１）の使用。誘餌（４）に対する包装としての、請求項１から請求項１４の一項に記載の誘餌箱（１）の使用。
【請求項２４】
深絞り加工又は射出成形加工、好ましくは深絞り加工により誘餌箱（１）の少なくとも一部が作製され、適切ならば、誘餌が導入される、請求項１から請求項１４の一項に記載の誘餌箱（１）を作製する方法。
【発明の詳細な説明】
【技術分野】
【０００１】
本発明の目的は、特に小型げっ歯類のための、使い捨ての誘餌箱、関連する使用及び関連する作製方法に関する。
【背景技術】
【０００２】
有害生物を防除するためにさまざまな方法が使用される。最も単純に行うことができる方法は、第一に、誘餌に有害生物を引き付け、次いで誘餌に存在する活性成分により壊滅させるように、固形又はゲル状の誘餌を直接、有害生物が蔓延している場所に適用することである。固形誘餌は、単純に置くことができ又は散布することができ、一方、液体又はペースト状の誘餌は殆どの場合、ガンタイプ投薬器又はシリンジを用いて適切な場所に適用する。しかし、この方法の欠点は、有害生物だけでなく、その他の動物及びヒトも誘餌に接触し得ることである。殆どの場合、誘餌には例えば抗凝血剤などの毒物が入っているので、例えば幼児がその毒物に接触し得るリスクがある場合、これは特に望ましくない。一方、別の欠点として、誘餌が環境因子から保護されず、従って誘餌の活性が非常に急速に失われ得るということが挙げられる。例えば、雨又は天候因子などによって誘餌の活性が非常に急速に低下するので、誘餌を単純に屋外に置くことができないことが多い。また、ある程度の時間経過後、及び誘餌の活性成分の活性が失われる場合、残りの誘餌を除去しなければならないという欠点もある。
【０００３】
上述の安全面での問題及びその他の欠点を解決し、長期にわたり誘餌の活性を確保するために、第一に誘餌が直接接近可能でなく、第二に外部因子から保護されるように誘餌が置かれる誘餌箱を使用することが知られている。公知の誘餌箱において、第一に、例えば厚紙製の使い捨ての誘餌箱が使用されるが、これは、適切な場合、残りの誘餌とともに使用後廃棄される。このような誘餌箱は、例えば米国特許第３，７５０，３２６号で知られている。第二に、再利用可能な誘餌箱も知られており、これには誘餌を補充することができる。このように、ＷＯ２００５／１０７４５１は、プラスチック製で、防除すべき有害生物に適合した少なくとも１つの側面進入路及び、頂部に位置し、ゲル状の誘餌を補充するのに適した少なくとも１つの補給ポートを含む、誘餌箱に関する。米国特許第４，３４９，９８２号は、側面進入路があり、頂部に位置し、流動性を有する誘餌を補充するのに適したポートがある、プラスチック製誘餌箱を開示する。ＤＥ−Ａ１９５  ０１  ８９２は、頂部が開口しており、側面進入路がなく、間隔を空けて配置された、場合によっては透明であり得るフィルムで被覆された誘餌箱を開示する。ＷＯ０２／１０２１４７及び米国特許第５，１３６，８０３号には、様々な実施形態の誘餌箱が記載されており、この場合、それらの蓋は、誘餌箱に誘餌を補充するため及び点検のために開口可能であり、また、それらの蓋には、さらに、変化しやすいブロック状の誘餌を適切な位置に保持するための別の手段が備えられている。ＷＯ２００５／１０７４５０は、誘餌ブリスター（ｂａｉｔ  ｂｌｉｓｔｅｒ）の使用に適合した誘餌箱に関する。
【０００４】
しかし、これらの既知の誘餌箱では、外部応力に対する誘餌箱の十分な安定性を達成すると同時に、誘餌の保護と有害生物のための進入とを互いに組み合わせるために、及び頻繁な開閉を可能にするために、これらが複雑でありそれ故に頑丈な構造になるという欠点がある。この目的のために必要とされる複雑な構造によって、製造、輸送、保管又は販売のための展示が困難になることが多く、これにより、費用及び労働力に関して相当な負担が生じる。これらの箱は、実質的に専門家の使用者のみを対象に設計されている。
【先行技術文献】
【特許文献】
【０００５】
【特許文献１】米国特許第３，７５０，３２６号
【特許文献２】２．ＷＯ２００５／１０７４５１
【特許文献３】３．米国特許第４，３４９，９８２号
【特許文献４】４．ＤＥ−Ａ１９５  ０１  ８９２
【特許文献５】５．ＷＯ０２／１０２１４７
【特許文献６】６．米国特許第５，１３６，８０３号
【特許文献７】７．ＷＯ２００５／１０７４５０
【発明の概要】
【発明が解決しようとする課題】
【０００６】
従って、本発明の目的は、比較的安価に製造され、場所を取らず、一方で、不適当な外部進入から又は汚れ及び塵による悪影響から同時に誘餌が確実に十分に保護されるという点で区別される誘餌箱、特に使い捨ての誘餌箱を提供することである。
【課題を解決するための手段】
【０００７】
特許請求の範囲の請求項１の特性に従う誘餌箱により本目的が達成される。従属クレームの本題は、有利な実施形態である。協調的クレームは有利な使用及び製造方法に関する。
【０００８】
本発明による誘餌箱は、誘餌を収容するための手段又は誘餌箱に収容された誘餌を有する。例えば、誘餌は、少なくとも１つのポートを通じて誘餌が落ちる可能性が大幅に低下するように誘餌箱内に収容される。誘餌は、例えば、活性物質として抗凝血剤とともにパラフィンに埋め込まれたシリアルの形態をとる。さらに、有害生物、特に小型げっ歯類が誘餌に接近することができるようにするための少なくとも１つのポートが提供される。格納位置から拡張位置に収縮自在に拡張可能であり、従って本誘餌箱の体積を増加させる、少なくとも１つの区画を有するように誘餌箱が設計されるという事実によって、本誘餌箱は区別される。このように、伸縮自在に位置ずれ可能な区画が動かされる場合、この誘餌箱において、不適当な外部進入から又は汚れ及び塵による有害影響から誘餌が保護される。伸縮自在な位置ずれによって、本誘餌箱は「有効化される」前（即ち伸縮自在に位置ずれが起こる区画の格納位置）には比較的小さく、これにより、保管、輸送又は店頭での展示の際に特に後者の場合、費用の理由から、必要となる空間が小さくて済むから特に有利であることが分かる。さらに、驚くべきことに、伸縮自在な区画が誘餌箱の安定性に悪影響を与えるという先の前提にもかかわらず、とりわけ、位置ずれ可能な部品によって、安定性が十分に得られ、単純な厚紙の箱を大きく越えることが分かった。結果として、例えば幼児による不適当な外部進入から、及び天候因子による汚れ又は塵の結果として生じる有害な影響から、誘餌が十分に保護される。例えば、その直径ゆえに有害生物が本箱に進入することができるのは拡張位置に本誘餌箱が拡張される場合のみであるように、伸縮自在に拡張可能な区画又は体積の増加が設計される。伸縮自在区画は、例えば、本誘餌箱の固定壁に対して位置ずれ可能であるように設計される側壁、又は折りたたみ式で折り曲がる側壁を有する。
【０００９】
従って、当業者は、以前、非常に頑丈な箱を対象としたために伸縮自在方式を考えていなかった。従って、一つの発明は、伸縮自在方式によって、箱を再使用する必要がなく使い捨て商品の形態をとり、一方、同時に防除剤の包装でもあり得るような安価な箱が得られ得るという知見に基づく。このような場合、本製品の特段の寿命はもはや問題ではない。この背景に対して、伸縮自在方式を使用し又は伸縮自在方式の使用を考慮することができる。
【００１０】
誘餌箱が、誘餌を収容するための手段のみを有する場合、誘餌を誘餌箱に導入するための別のポートが提供され得る。好ましくは、この別のポートは、これが固定され得るように設計される。
【００１１】
有害生物は、昆虫、例えばアリ、コドリンガ、アブラムシ、スティールブルージュエルビートル（ｓｔｅｅｌｂｌｕｅ  ｊｅｗｅｌ  ｂｅｅｔｌｅ）、キクイムシ、チャバネゴキブリ、ゴールドピットオークスプレンダービートル（ｇｏｌｄ  ｐｉｔ  ｏａｋ  ｓｐｌｅｎｄｏｕｒ  ｂｅｅｔｌｅ）、オークプロセッショナリーモス（Ｏａｋ  ｐｒｏｃｅｓｓｉｏｎａｒｙ  ｍｏｔｈ）、ヨーロッパオークハマキムシ（Ｅｕｒｏｐｅ  ｏａｋ  ｌｅａｆｒｏｌｌｅｒ  ｍｏｔｈ）、ヒラタハバチ（Ｓｐｒｕｃｅ  ｗｅｂ−ｓｐｉｎｎｉｎｇ  ｓａｗｆｌｙ）、ノミ、アザミウマ、リンゴコカクモンハマキ（ｓｕｍｍｅｒ  ｆｒｕｉｔ  ｔｏｒｔｒｉｘ  ｍｏｔｈ）、コモンファニチャービートル（ｃｏｍｍｏｎ  ｆｕｒｎｉｔｕｒｅ  ｂｅｅｔｌｅ）、マツハバチ（ｃｏｎｉｆｅｒ  ｓａｗｆｌｙ）、パインビューティーモス（ｐｉｎｅ  ｂｅａｕｔｙ  ｍｏｔｈ）、タウニーベアドアングルモス（ｔａｗｎｙ  ｂａｒｒｅｄ  ａｎｇｌｅ  ｍｏｔｈ）、リトルスプルースソウフライ（ｌｉｔｔｌｅ  ｓｐｒｕｃｅ  ｓａｗｆｌｙ）、グラナリヤコクゾウ（ｇｒａｉｎ  ｗｅｅｖｉｌ）、シラミ、コガネムシ、ダニ、イガ、ノンネマイマイ、マイマイガ、ヒラタキクイムシ（Ｌｙｃｔｕｓ  ｓｐｐ．）、シロアリ、ブドウ果実・漿果の蛾（ｇｒａｐｅ  ｖｉｎｅ  ａｎｄ  ｇｒａｐｅ  ｂｅｒｒｙ  ｍｏｔｈ）、コナジラミ、カブラヤガ、ナメクジ及びカタツムリ又は小型哺乳動物、例えば、マウスもしくはラットなどの小型げっ歯類などである。好ましくは、マウス又はラットを防除するために本誘餌箱を設計する。
【００１２】
ある有利な実施形態によると、誘餌を収容するための手段又は誘餌は、収縮自在に拡張可能な区画に配置され、少なくとも１つのポートが本誘餌箱の残りの区画内に配置され又はその逆である。その結果、格納位置から拡張位置への収縮自在に拡張可能な区画の位置ずれ時に、誘餌と少なくとも１つのポートとの間の距離が伸長される。この寸法によって、距離が長くなり、さらに、例えば幼児による不適当な外部進入から又は天候因子による汚れ及び塵の結果生じる有害な影響からの保護を強化することが可能になる。さらに、ある実施形態は、例えば、ポートへ指を挿入することによって誘餌に触れることができないようにする。
【００１３】
ある有利な実施形態において、有害生物の進入路のためのポートを除き誘餌箱を密閉する。これにより、誘餌に接触可能であるのは有害生物のみとなり、さらに、力をかけて誘餌箱を破壊しなければ誘餌に到達できないようになる。これは、別の態様が、誘餌全体が完全に消費者から隠蔽されるような形態で販売されるべきであるという発見であるからである。これは、長期にわたり良好である商品として誘餌を販売することを可能にするために重要な必要条件であると思われる。さらに、包装も構成するこの誘餌箱の形態により、誤った取り扱いを行っても、標的動物ではない動物（例えばスズメ）は誘餌に到達できない。対して、先行技術から知られている厚紙製の箱は、小児から誘餌を確実に隠蔽するには不適切である。従って、これらの箱は、安全に誘餌を提供すること及びあらゆる形態の誤った取り扱いを回避する必要条件に合致し得ない。本発明の重要な目的は、まさに、安全面を確実にすることである。発明者らは、この態様が、厚紙製より僅かに高価であるが、複雑な詰め替え可能な誘餌箱よりも経済的であり、同時に後者の誘餌箱の安定性もほぼ有する誘餌箱の条件を正当化することを認識した。
【００１４】
別の実施形態において、誘餌は誘餌箱内に収容される。従って、誘餌箱を「有効化」するためには、伸縮自在に拡張可能な区画をずらすだけででよい。従って、特に安全な方法で、人間が誘餌に接触できないようになっている。この結果、誘餌箱が同時に誘餌に対する包装を構成するので、費用の軽減という別の態様が得られる。これにより、さらに、安価になる。別の成果は、この誘餌箱の耐久性及び寿命を特に考慮する必要がないことが分かったことである。従って、この発見によって、さらに、伸縮自在方式を使用することができるということになる。
【００１５】
別の有利な実施形態によると、誘餌又は誘餌を収容するための手段は、伸縮自在に拡張可能な区画の格納位置において、例えば伸縮自在に拡張可能な区画の側壁によってさらに係合され、従って、ポートを介して接触不可能である。これにより配置されるべき誘餌箱の「有効化」前はポートが安全に繋止されるが、伸縮自在に拡張可能な区画によって誘餌箱の誘餌がさらに係合されることにより安全に誘餌への接触を防ぐことができるからである。格納位置で伸縮自在に拡張可能な区画を繋止するために、ある実施態様は、特別な繋止手段又は所定の限界点を提供する。
【００１６】
別の有利な実施形態において、開口した側面を除き、伸縮自在に拡張可能な区画の形態は直方体であり、開口した側面が誘餌箱の内側に向くように、伸縮自在に拡張可能に誘餌箱の側壁に挿入される。その結果、比較的形状が単純なので、特に安価に本誘餌箱を製造することができる。
【００１７】
別の有利な実施形態において、伸縮自在に拡張可能な区画の拡張位置に対する留め金が提供される。これにより、誘餌箱を無理に開けることが大幅に回避される。
【００１８】
別の有利な実施形態において、誘餌箱において、誘餌箱を横切る視界が少なくとも伸縮自在に拡張可能な区画の拡張位置において確保されるように配置される、２つの相対するポートが提供される。例えば、本誘餌箱は、トンネルを形成するために、その小さな面にポートがある直方体の形態で伸長される。驚くべきことに、数回の現場試行において、このような配置がげっ歯類の飛躍本能に働きかけると思われるので、このようなポートの配置は、小型げっ歯類、特にラットが本誘餌箱に進入するのに好都合であることが分かった。
【００１９】
別の有利な実施形態によると、印刷可能な領域及び／又は本誘餌箱を吊設するための小穴とともに本誘餌箱が提供される。例えばこの小穴は本誘餌箱に一体化している。これらの特性は、例えば、店頭での本誘餌箱の展示に有利である。
【００２０】
安価で同時に比較的安定であり耐水性の誘餌箱を作製するために、本誘餌箱は、好ましくは、プラスチック材料からなる。さらに、本誘餌箱は、好ましくは、例えばセルロース繊維などの生分解性材料からなる。これにより、使用後、即ち誘餌が食べられた後、誘餌箱を回収し、廃棄する必要がなくなる。このような誘餌箱は、開放されていても、所定の時間経過後に自然に分解するので、廃棄する必要がないという特性を有する。また、分解性の材料からなるこのような箱を堆肥化することができる。言い換えると、分解性材料を使用することができるという発見は、使い捨て製品を提供する考え方に密接に関連する。この考え方は、本分野において以前はなかった。
【００２１】
別の有利な実施形態において、誘餌箱において、例えば伸縮自在に拡張可能な区画において、透明な区画が提供される。これにより、誘餌の有無を調べること、誘餌の状態又は、適切な場合、この区画を介して、誘餌箱へ誘餌を導入するプロセスを調べることが可能になる。
【００２２】
ある実施形態において、少なくとも１つのポートの直径はおよそ６ｃｍである。
【００２３】
別の有利な実施形態において、拡張位置で伸縮自在に拡張可能な区画を繋止するための手段が提供される。
【００２４】
それにより、伸縮自在に拡張可能な区画の押し込みを防ぐことができる。例えば、伸縮自在に拡張可能な区画の拡張された側壁の後方で本誘餌箱の内部にはまり込み、それ故に側壁をブロックする、繋止突出部が提供される。
【００２５】
次に、ラット用の誘餌箱：従って、本誘餌本体の直方体形態の本体の長さがおよそ２０ｃｍであり、高さ及び幅がおよそ８−９ｃｍである実施例を記載する。ラットが進入するポートの直径はおよそ６ｃｍであり、本誘餌本体の小さい面で互いに向き合って配置される。伸縮自在に拡張可能な区画の端部に到達する前にトンネルに少なくとも６ｃｍ入らなければならないように、誘餌とともに伸縮自在に拡張可能な区画を本体の縦面の中央に配置する。これは、幼児の安全性を確保するのに適切な長さであり、それにより、幼児が指で誘餌に接触できなくなる。
【００２６】
本発明は、さらに、誘餌を有効化するために、誘餌箱の伸縮自在に拡張可能な区画を格納位置から拡張位置にずらす、上述の実施形態の１つにおける誘餌箱の使用に関する。これは、さらに、誘餌に対する包装としての誘餌箱の使用に関する。
【００２７】
これは、さらに、深絞り加工又は射出成形加工、好ましくは深絞り加工により誘餌箱の少なくとも一部が作製され、適切な場合、誘餌が導入される、上述の実施形態の１つにおいて誘餌箱を作製する方法に関する。使い捨て製品を経済的に製造できるようにするために、例えば全部で４つの部品が必要である。第一に、基板があり、これは、深絞り加工により作製される。次に、基板とともに誘餌箱のトンネルを形成する上部がある。この上部は、同じく深絞り加工により作製される。例えば、基板及び上部を溶接し接着して一緒にする。実施形態に依存して、収縮自在に拡張可能な区画は、深絞り加工又は射出成形加工により作製される。場合によっては必要とされる第四の部品は誘餌である。
【００２８】
誘餌箱がとる場所を単純に節約するために、少なくとも１つのポートがある蓋を有し、閉じた状態で誘餌が置かれる誘餌箱を形成するように、その蓋が、誘餌を伴う基本的に平坦な基板に回転可能に設置される、ある実施形態が存在する。これは、この蓋が跳ね上げられる際に必要な空間が最小限に維持されることを意味する。別の実施形態において、誘餌へ接触することができるように包装が除去され又は開封されるように（このようにして誘餌を有効にするために）、蓋が誘餌の包装と連携して動く。この実施形態において、空間の条件は主要な特性である。
【図面の簡単な説明】
【００２９】
【図１】図１は、本発明による誘餌箱１の平面図を示す。
【図２】図２は、誘餌箱の基本構造が形成されるプラスチック予備成形物の横断面を示す。
【図３】図３は、図２による予備成形物により形成されている基本構造を有する誘餌箱の断面を示す。
【図４】図４は、図２による予備成形物により形成されている基本構造を有する誘餌箱の断面を示す。
【図５】図５は、三次元の展望図を示す。
【図６】図６は、３つの壁３２、３３及び３４のみが互いに所定の折り曲げ線２５を介して連結されている基本構造を形成するための予備成形物を示す。
【図７】図７は、収縮自在に拡張可能な区画６が内側にある仕上がり状態の断面図を示す。
【図８】収縮自在に拡張可能な区画６の閉端には側面レバー様の区画３６があり、これを断面図の形態で図８で示す。
【図９】レバー様区画３６の立体図を図９及び１０で示す。
【図１０】レバー様区画３６の立体図を図９及び１０で示す。
【図１１】図１１は、２本の所定の折り曲げ線２５があるプラスチック予備成形物の横断面を示すが、この折り曲げ線２５から、誘餌箱に対する基本構造が形成される。
【図１２】本発明の別の実施形態を示す。
【図１３】本発明の別の実施形態を示す。
【図１４】本発明の別の実施形態を示す。
【図１５】本発明の別の実施形態を示す。
【図１６】本発明の別の実施形態を示す。
【図１７】本発明の別の実施形態を示す。
【図１８】本発明の別の実施形態を示す。
【００３０】
図１は、本発明による誘餌箱１の平面図を示す。基板９は、誘餌箱１の底部を形成する。基板内には、誘餌箱１を特に陳列台又は棚に吊設するための小穴１０がある。上部は、側壁１１及び誘餌箱の蓋を形成し、基板９に貼り付けられ又は溶接される。これにより、誘餌箱１が直方体の形状になる。誘餌箱１の小面は、互いに相対するポート２、３を含有し、これを通じて、げっ歯類、例えばラットが、誘餌箱１が「有効化された」状態にある場合、誘餌箱１内に配置される誘餌４に到達することができる。収縮自在に拡張可能な区画６は、位置ずれ可能に、誘餌箱の縦軸の側壁に挿入される。区画６は、同様に、立方体様の形状であり、誘餌箱１の内側に向かって開いている。誘餌４は、収縮自在に拡張可能な区画６の底部にあり、区画６が格納位置１２から拡張位置１３にずれる場合、区画６とともに引き出される（破線で示す。）。留め金５は、収縮自在に拡張可能な区画６の動きを制限する。さらに、移動止めの形態の繋止手段７（本図面でのみ示す。）が提供され、これは、一旦拡張位置に到達した後、収縮自在に拡張可能な区画６が押し戻されるのを防ぐ。区画６に配置される橋部８は大まかに誘餌４の飛び出しを防ぎ、又はなんらかの設備で、上方から誘餌を保持し、その飛び出しを防ぐ。格納位置１２において、誘餌４は区画６の側壁によって一時的に誘餌箱１において係合されるか、又は、ポート２、３を介した誘餌４への到達が妨げられる。拡張位置１３において（「有効化された」誘餌箱）、げっ歯類は誘餌４に接近することができるが、ポート２、３と誘餌４との間の距離（が大きい）ゆえに、ポート２、３に指を挿入しても届かない。
【００３１】
図２から５は、本発明の別の実施形態を示す。図２は、誘餌箱の基本構造が形成されるプラスチック予備成形物の横断面を示す。形成されるべき基本構造の壁２１、２２、２３及び２４の横断面を示す。これらの４つの壁は、互いに所定の折り曲げ線２５を介して連結される。特にプラスチックからなる予備成形物が９０°の角度で所定の折り曲げ線に沿って折り曲げられ、壁２１及び２４の２つの互いに角をなす縁部が互いに溶接され又は貼り付けられる場合、直方体の形状の構造において２つの相対する壁に円形ポート２及び３を有するようになる。このような円形ポート２及び３を与えるために、壁２１、２２、２３及び２４は、概ね三角形の側面２６を有する２つの適切に相対する面となる。これらの概ね三角形の側面２６は、壁２１、２２、２３及び２４とともに、各場合において直角をなす。しかし、この三角形は、通常の三角形の場合のように先端を形成しない。むしろ、これらは、基本構造においてポート２及び３を生成させるように形成される円形のカットアウトを有するように与えられる。
【００３２】
側面２２には、長方形のカットアウト２７が備えられる。本誘餌箱の一部は、この長方形のカットアウト２７を通じて、収縮自在に格納位置から拡張位置に収縮自在に拡張され得る。
【００３３】
図３及び４は、図２による予備成形物により形成されている基本構造を有する誘餌箱の断面を示す。図５は、三次元の展望図を示す。
【００３４】
上述の図３から５では、壁２１、２２、２３及び２４が、収縮自在に拡張可能な区画６が最初に格納位置で圧入により固定され、最後に拡張位置でポジティブロックにより固定されるようになる、溝及び凹部を備えることが示される。図３で示されるように、収縮自在に拡張可能な区画６の片側の端部には側面に突き出した台座２８が備えられる。これらの台座２８は最初に摩擦によって、即ち、基本構造に存在する凹部による圧入によって保持される。これにより、伸縮自在に拡張可能な区画６が格納位置から拡張位置へと不注意により動かされないようになる。伸縮自在に拡張可能な区画６は、カットアウト２７に向かって次第に狭くなる。これにより、この区画を、例えば手で、カットアウト２７を通じて把握し、拡張することができる。伸縮自在に拡張可能な区画６の壁は、拡張プロセス中に、最初に、弾性復元可能に押し付けられ、及び／又は壁２１及び２３は、最初に、弾性復元可能に別々に押される。最後に、台座２８が留め金２９に到達し、拡張位置に届く。次に、溝が与えられており、台座２８はこの溝に組み合う（繋止）（これは、図４で示されるようにポジティブな方法である。）。伸縮自在に拡張可能な区画は、ここで、ポジティブロックにより固定されるので、伸縮自在に拡張可能な区画が確実に拡張位置に固定されるようになる。従って、不注意により力がかかることによって、伸縮自在に拡張可能な区画が元の位置に戻され得ない。
【００３５】
伸縮自在に拡張可能な区画６は２つの部分からなり、これらは、容器様の形態である。両部分は、容器の底部に向かって先細になる。この２つの容器の少なくとも一方の上端が台座２８を形成する。この２つの容器は互いに挿入される。内部容器は外部容器よりも短く、底部にポートが備えられる。これにより、容器の２つの底部間に空間が形成される。袋入りの誘餌４をこの空間３０に導入する。有害生物は、内部容器のポートを通じて誘餌に到達することができる。このようにして、特に誘餌の直径が内部容器のポートの直径を超える場合、誘餌が特に確実に保持される。
【００３６】
図５で示されるように、収縮自在に拡張可能な区画６の一部を形成する外部容器には、収縮自在に拡張可能な区画６を容易に把握し拡張するために、陥凹グリップ３１がさらに備えられ得る。
【００３７】
ある実施形態において、壁の溝は、この溝によって収縮自在に拡張可能な区画が導かれるように、収縮自在に拡張可能な区画と連携して動作し得る。これにより、さらに良好に本誘餌箱を正しく操作できるようになる。
【００３８】
このような誘餌箱は、好ましくは、例えば、プラスチック包装内に封入されて供給される。これにより、誘餌箱又は誘餌が使用まで、例えば湿気から保護される。
【００３９】
壁２４及び２１の２つの端部を互いに溶接し又は貼り付けることによって耐久的に連結することができる。
【００４０】
この実施形態の特別な態様は、伸縮自在に拡張可能な領域が、その格納位置において、基本構造を超えて拡張しないことである。この結果、突き出した部分なく販売可能な直方体の箱が得られ、とりわけ、このような箱の保管が容易になる。
【００４１】
図６から図１０は、本発明の別の実施形態を示す。
【００４２】
図６は、３つの壁３２、３３及び３４のみが互いに所定の折り曲げ線２５を介して連結されている基本構造を形成するための予備成形物を示す。壁３４には、円形のカットアウト２７が備えられる。収縮自在に拡張可能な区画６は後者を通じて拡張される。Ｖ型の区画３５は、概ね直角に２つの外壁３２及び３４に隣接し、これらと一体化して連結される。このＶ型区画３５は、所定の折り曲げ線２５を正しく折り曲げた際に、互いに固着されるか貼り付けられる。
【００４３】
図７は、収縮自在に拡張可能な区画６が内側にある仕上がり状態の断面図を示す。壁３２及び３４の端部には、概ね長方形であり、基本構造が形成される際にポート２及び３が生じるような半円形のカットアウトを備える側面２６がある。Ｖ型区画３５は、誘餌箱が好ましくは搭載される部位を形成する。
【００４４】
収縮自在に拡張可能な区画６の閉端には側面レバー様の区画３６があり、これを断面図の形態で図８で示す。レバー様区画３６の立体図を図９及び１０で示す。
【００４５】
格納位置において、収縮自在に拡張可能な区画が基本構造に貼り付けられる。接着力は、レバー様区画３６の回転運動によって結合部が破壊されるように選択される。そうすると収縮自在に拡張可能な区画６を拡張することができる。レバー様区画３６は、好ましくは、同時に誘餌箱が置かれる脚となるように９０度回転される。誘餌箱のこの位置取りを図１０で説明する。図６から１０による実施形態においても、留め金に到達することによって、伸縮自在に拡張可能な区画の拡張位置に到達する。
【００４６】
図１１から１４は、本発明の別の実施形態を示す。図１１は、２本の所定の折り曲げ線２５があるプラスチック予備成形物の横断面を示すが、この折り曲げ線２５から、誘餌箱に対する基本構造が形成される。２本の所定の折り曲げ線は、壁２２において概ね正方形のカットアウト２７と接する。カットアウト２７のある壁２２は、それぞれ２つの角をなす区画２１、２４ｂ及び２５、２４ａと接する。区画２１及び２３は、壁２２と直接接し、各場合において、基本構造の１つの壁を形成する。ほぼ半分の長さである区画２４ａ及び２４ｂはそれぞれ直角をなして続き、例えば固着又は貼り付けによって、基本構造の別の壁と連結される。この目的に対して、区画２４ａ及び２４ｂの端部において、さらに外側に角をなし、例えば固着又は貼り付けによって互いに連結されるゾーン３７が与えられる。さらに、収縮自在に拡張可能な区画６に対する好ましくは柔軟性のあるカバー３８は、図１２の断面図で示されるように、２つのゾーン３７の間に押し込まれる。カバー３８は、最初、湿気から誘餌を保護する。さらに、このようにして、収縮自在に拡張可能な区画６は、最初はその格納位置で摩擦により保持される。
【００４７】
区画６の格納位置において、後者の境界域４０は、基本構造の外側に近接して位置する。同じように、この結果、外部に突出した部品がない直方体形が得られる。境界域４０は、区画６を外側に向かって引っ張り出すために容易に把握することができる。区画６の台座４１は、外側に突出し、拡張位置に到達したとき、基本構造の壁２２上の留め金として働く。台座４１に隣接して、ゾーン４２があり、これにより、図１３で示されるように、その拡張位置において、収縮自在に拡張可能な区画６が摩擦形式で固定されるようになる。
【００４８】
誘餌４の中心には穴がある。この穴を通じて、収縮自在に拡張可能な区画６の２つの内部の締め付け部品３９が押し付けられる。このようにして、誘餌が区画６に適切に保持される。
【００４９】
図１４で示されるように、基本構造の両端に三角形の開口部２、３が残り、これを通じて有害生物が誘餌箱に到達できる。図１４により、適切な凹部４３を与えることにより、角度が付いたゾーン３７が外側に突出せず又は突出してもわずかであり得ることがさらに明白となる。区画３７をリベットなどにより互いに連結するために、この区画３７には穴４４があり得る。
【００５０】
図１５から１８は、別の実施形態を示す。区画６が図１５で示される格納位置から図１７で示される拡張位置にされる場合、収縮自在に拡張可能な区画６は、拡張位置に到達したら、下方に反転し、図１７で示されるように、一方の端４５が地面に達する。これにより、拡張位置にある場合も、本誘餌箱が安定して立つようになる。図６から１０で示される実施形態と一致して、これによってまた、有害生物又は有害動物が区画６に進入した場合に誘餌箱が倒れないようになる（倒れると有害生物が逃げる原因となる。）。
【００５１】
基本構造内で、弾力のある部品４６が与えられ得、これは、図１５及び１７で示されるように、格納位置及び拡張位置の両方で区画６の台座２８をそれに対して与えられる凹部４７においてポジティブに保持する。
【００５２】
別の特性は、封止ラベル４８であり、これは、図１５で示されるように、主に前もって張力を与えられた伸縮性のバンドによって、格納位置に維持され、基本構造と区画６との間で締め付けられる。区画６が少々伸ばされると、封止ラベル４８は摩擦により保持されず、基本構造に与えられたスロットを通じて、伸縮性のバンド４９により急激にさらに動かされ得る。図１６は、このようにして起こる中間位置を示す。このようにして、誘餌箱が輸送状態にあるか否か、又はこれが既に有効化されているか否かが分かる。このようにして、既に使用済みの誘餌箱の区画が、場所を取らないようにするために格納位置に戻されるとしても、使用された誘餌箱を未使用のものと区別することができる。
【００５３】
図１５から１８で示される基本構造は、蓋５０で固く密閉された容器４９からなる。
【００５４】
一方、このようなシール４８は、示されないが、別の実施形態において、適切な方式で区画６に基本構造を連結することによって、区画６を拡張することにより基本構造に引き入れられ得る。
【００５５】
伸縮自在に拡張可能な区画を軸周囲で回転させることも可能である。例えば、この伸縮自在に拡張可能な区画は、上部図で、この箱において消失し又は外側で終わるように、縦軸周囲で回転させることができる円の弧を形成する。少なくとも一部分、この部品が上部、底部及び外側で封止され、一面だけが開口される。有効でない状態では、開口した（放射状の）面は、誘餌箱の基本構造の内壁で終わる。この回転運動が起こる場合、誘餌は、箱の内部からのみ接近可能である。
【図１】
2009540808.tif 000003
【図２】
2009540808.tif 000004
【図３】
2009540808.tif 000005
【図４】
2009540808.tif 000006
【図５】
2009540808.tif 000007
【図６】
2009540808.tif 000008
【図７】
2009540808.tif 000009
【図８】
2009540808.tif 000010
【図９】
2009540808.tif 000011
【図１０】
2009540808.tif 000012
【図１１】
2009540808.tif 000013
【図１２】
2009540808.tif 000014
【図１３】
2009540808.tif 000015
【図１４】
2009540808.tif 000016
【図１５】
2009540808.tif 000017
【図１６】
2009540808.tif 000018
【図１７】
2009540808.tif 000019
【図１８】
2009540808.tif 000020
【手続補正書】
【提出日】平成21年2月23日(2009.2.23)
【手続補正１】
【補正対象書類名】特許請求の範囲
【補正対象項目名】全文
【補正方法】変更
【補正の内容】
【特許請求の範囲】
【請求項１】
誘餌を提供するための手段を有し又は誘餌箱（１）中に誘餌（４）が収容されており、有害生物、特に小型げっ歯類が誘餌（４）に接近できるようにするための少なくとも１つのポート（２、３）を有する誘餌箱（１）であり、格納位置（１２）から拡張位置（１３）に伸縮自在に拡張可能であり、これにより誘餌箱（１）の体積が増加する少なくとも１つの区画（６）を有するように設計されていることを特徴とする、誘餌箱（１）。
【請求項２】
伸縮自在に拡張可能な区画（６）において、誘餌を収容するための手段又は誘餌（５）及び少なくとも１つのポート（２、３）が誘餌箱（１）の残りの区画内に配置され又はその逆であることを特徴とする、請求項１に記載の誘餌箱。
【請求項３】
誘餌箱（１）が、有害生物の接近のために提供される少なくとも１つのポート（２、３）を除き密閉されることを特徴とする、請求項１から請求項２の一項に記載の誘餌箱。
【請求項４】
誘餌（４）が誘餌箱とともに収容されることを特徴とする、請求項１から請求項３の一項に記載の誘餌箱。
【請求項５】
伸縮自在に拡張可能な区画（６）の格納位置（１２）において、誘餌又は誘餌を提供するための手段が、例えば伸縮自在に拡張可能な区画（６）の側壁によりさらに係合され、従って、少なくとも１つのポート（２、３）を介して接近可能ではないことを特徴とする、請求項１から請求項４の一項に記載の誘餌箱。
【請求項６】
伸縮自在に拡張可能な区画（６）が、開口した側面を除き、立方体様の形態であり、開口した側面が誘餌箱（１）の内側に向くように誘餌箱の側壁（１１）に伸縮自在に拡張可能に挿入されることを特徴とする、請求項１から請求項５の一項に記載の誘餌箱。
【請求項７】
伸縮自在に拡張可能な区画（６）の拡張位置（１３）に対して留め金（５）が提供されることを特徴とする、請求項１から請求項６の一項に記載の誘餌箱。
【請求項８】
誘餌箱（１）において、誘餌箱（１）を横切る視界が少なくとも伸縮自在に拡張可能な区画（６）の拡張位置（１３）において確保されるように配置される２個の相対するポート（２、３）が提供されることを特徴とする、請求項１から請求項７の一項に記載の誘餌箱。
【請求項９】
誘餌箱（１）が、印刷可能な領域及び／又は誘餌箱を吊設するための小穴（１０）とともに提供されることを特徴とする、請求項１から請求項８の一項に記載の誘餌箱。
【請求項１０】
誘餌箱（１）がプラスチック材料からなることを特徴とする、請求項１から請求項９の一項に記載の誘餌箱。
【請求項１１】
誘餌箱（１）が、例えばセルロース繊維などの生分解性材料からなることを特徴とする、請求項１から請求項１０の一項に記載の誘餌箱。
【請求項１２】
誘餌箱（１）において、例えば伸縮自在に拡張可能な区画（６）において、透明な区画が提供されることを特徴とする、請求項１から請求項１１の一項に記載の誘餌箱。
【請求項１３】
少なくとも１つのポート（２、３）の直径がおよそ６ｃｍであることを特徴とする、請求項１から請求項１２の一項に記載の誘餌箱。
【請求項１４】
拡張位置（１３）において伸縮自在に拡張可能な区画（６）を繋止するための手段（５、７）が提供されることを特徴とする、請求項１から請求項１３の一項に記載の誘餌箱。
【請求項１５】
誘餌箱が、一体プラスチック予備成形物により形成される基本構造を含み、基本構造が、非破壊性の所定の折り曲げ線（２５）を含み、プラスチック予備成形物の２つのエンドゾーンが好ましくは貼り付けられ又は互いに結合させられることを特徴とする、請求項１から請求項１４の一項に記載の誘餌箱。
【請求項１６】
伸縮自在に拡張可能な区画（６）が、その格納位置で、圧入によって及び／又はポジティブロックによって及び／又は接着剤によって取り外し可能に保持され、及び／又は、その拡張位置で、圧入によって及び／又はポジティブロックによって保持されることを特徴とする、請求項１から請求項１５の一項に記載の誘餌箱。
【請求項１７】
伸縮自在に拡張可能な区画が、互いに移動させられる２つの容器を含み、内部容器の底部が開口部を含み、空間（３０）が容器の２つの底部の間に存在し、空間に誘餌（４）が置かれ、誘餌（４）の直径が特にポートの直径よりも大きいことを特徴とする、請求項１から請求項１６の一項に記載の誘餌箱。
【請求項１８】
伸縮自在に拡張可能な区画（６）が、その格納位置で基本構造を越えて突出しないが、手で、特に陥凹したつかみ部を用いて把握することができるように設計されることを特徴とする、請求項１から請求項１７の一項に記載の誘餌箱。
【請求項１９】
伸縮自在に拡張可能な区画（６）が、その格納位置で固定され、回転運動により取り外し可能であることを特徴とする、請求項１から請求項１８の一項に記載の誘餌箱。
【請求項２０】
伸縮自在に拡張可能な区画（６）がその格納位置で回転可能であり、誘餌箱を適当な位置におくために伸縮自在な区画に提供される脚が、回転運動により位置決め可能であることを特徴とする、請求項１から請求項１９の一項に記載の誘餌箱。
【請求項２１】
伸縮自在に拡張可能な区画（６）が、その拡張の結果として、誘餌箱の他の部分に対して、その拡張位置へと下方に反転するようなものであることを特徴とする、請求項１から請求項２０の一項に記載の誘餌箱。
【請求項２２】
伸縮自在に拡張可能な区画（６）を拡張することによってシール（４８）の位置が変化し、伸縮自在に拡張可能な区画（６）をその後に押し戻すことによってシールの位置が再び変化しないように誘餌箱が設計されていることを特徴とする、請求項１から請求項２１の一項に記載の誘餌箱。
【請求項２３】
誘餌を有効化するために、誘餌箱（１）の伸縮自在に拡張可能な区画（６）が格納位置（１２）から拡張位置（１３）の状態にされる、請求項１から請求項２２の一項に記載の誘餌箱（１）の使用。
【請求項２４】
誘餌（４）に対する包装としての、請求項１から請求項１４の一項に記載の誘餌箱（１）の使用。
【請求項２５】
深絞り加工又は射出成形加工、好ましくは深絞り加工により誘餌箱（１）の少なくとも一部が作製され、適切ならば、誘餌が導入される、請求項１から請求項１４の一項に記載の誘餌箱（１）を作製する方法。
【国際調査報告】
2009540808.tif 000021
2009540808.tif 000022
2009540808.tif 000023
2009540808.tif 000024
2009540808.tif 000025
2009540808.tif 000026